(57)【要約】【課題】本発明は使用者の好みやＴＰＯに応じた装飾品を楽しく選択的に使用して、短期間に飽きて使用されなくなるのを防止して経済的に使用することができる帯飾り等の装飾品を得るにある。【解決手段】根付、ストラップ、キーホルダー等に使用することができるように形成された第１の装飾品体と、この第１の装飾品体に着脱可能に取付けられた、髪に取付けられるように形成されたかんざし形状の第２の装飾品体とで帯飾り等の装飾品を構成している。【選択図】  図１
2004284045.tif 000002
【特許請求の範囲】
【請求項１】
根付、ストラップ、キーホルダー等に使用することができるように形成された第１の装飾品体と、この第１の装飾品体に着脱可能に取付けられた、髪に取付けられるように形成されたかんざし形状の第２の装飾品体とからなることを特徴とする帯飾り等の装飾品。
【請求項２】
根付、ストラップ、キーホルダー等に使用することができるように形成された第１の装飾品体と、この第１の装飾品体に取付けられた接続具と、この接続具に着脱可能に取付けられた、髪に取付けられるように形成されたかんざし形状の第２の装飾品体とからなることを特徴とする帯飾り等の装飾品。
【請求項３】
根付、ストラップ、キーホルダー等に使用することができるように形成された第１の装飾品体と、この第１の装飾品体に着脱可能に取付けられた、髪を留める、あるいは帯びに止める等のように形成されたストッパー形状の第２の装飾品体とからなることを特徴とする帯飾り等の装飾品。
【発明の詳細な説明】
【０００１】
【発明の属する技術分野】
本発明は、帯飾り、髪飾り、根付、ストラップ、キーホルダー、ペンダント等の帯飾り等の装飾品に関する。
【０００２】
【従来の技術】
従来、帯飾り、髪飾り、根付、ストラップ、キーホルダー、ペンダント等は、本来の目的のために使用するための、例えば、帯飾り形状、髪飾り形状等に形成されている。
【０００３】
従来の所定形状に形成される帯飾り、髪飾り、根付、ストラップ、キーホルダー、ペンダント等の装飾品は、固定的なデザインとなり、ＴＰＯに合わせて複数個の装飾品が必要であるという欠点があるとともに、すぐに飽きてしまい、長期間使用されず不経済であるという欠点があった。
【０００４】
【発明が解決しようとする課題】
本発明は以上のような従来の欠点に鑑み、使用者の好みやＴＰＯに応じた装飾品を楽しく選択的に使用して、短期間に飽きて使用されなくなるのを防止して経済的に使用することができる帯飾り等の装飾品を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は根付、ストラップ、キーホルダー等に使用することができるように形成された第１の装飾品体と、この第１の装飾品体に着脱可能に取付けられた、髪に取付けられるように形成されたかんざし形状の第２の装飾品体とで帯飾り等の装飾品を構成している。
【０００７】
【発明の実施の形態】
以下、図面に示す実施の形態により、本発明を詳細に説明する。
【０００８】
図１ないし図６に示す本発明の第１実施の形態において、１は本発明の帯飾り、髪飾り、根付、ストラップ、キーホルダー、ペンダント等の帯飾り等の装飾品で、この帯飾り等の装飾品１は、根付、ストラップ、キーホルダー等に使用することができるように、樹脂材、金属材、セラミックス、べっ甲、象牙等で形成された第１の装飾品体２と、この第１の装飾品体２に取付けられたチェーン形状の接続具３と、この接続具３に着脱可能に取付けられた、髪に取付けられるように樹脂材、金属材、セラミックス等で形成された、かんざし形状の第２の装飾品体４とで構成されている。
【０００９】
上記構成の帯飾り等の装飾品１では、前記第１の装飾品体２、接続具３および第２の装飾品体４が一体的に用いられる時には、図２に示すように、該第２の装飾品体４を帯５の内側に差し込んだ状態で、前記第１の装飾品体２を前記帯５の表面に出して、帯飾りとして使用することができる。
また、図３に示すように、該第２の装飾品体４を前記接続具３より外した状態で、髪に刺したり、髪を結った状態を維持したりする髪飾りとして使用することができるとともに、図４ないし図６に示すように、該第２の装飾品体４を外した状態の前記第１の装飾品体２および接続具３を用いて、カバンや小物入れ等にキーホルダー、根付として使用したり、携帯電話機やＣＤ、ＭＤプレーヤー等のストラップに使用することができ、鎖やチェーン等の吊り下げ具Ｘを接続具３に取付けることにより、前記第１の装飾品体２をペンダントとして和服の着用時以外でも使用することができる。
【００１０】
なお、前記第１の装飾品体２は、蒔絵やべっ甲調、象牙調の模様等が描かれた飾り、七宝焼の飾り、金属加工された飾り等を用いてもよい。
また、使用者は複数個をバラバラにして、好みの帯飾り等の装飾品に仕上げることもできる。
【００１１】
【発明の異なる実施の形態】
次に、図７ないし図１１に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図７に示す本発明の第２の実施の形態において、前記本発明の第１の実施の形態と主に異なる点は、前記第１の装飾品体２に取付けられたチェーン状の第１の接続具６と、この第１の接続具に接続され、前記第２の装飾品体４に着脱可能に接続することができる第２の接続具７とからなる接続具３Ａを用いた点で、このように構成した帯飾り等の装飾品１Ａにしても本発明の第１の実施の形態と同様の作用効果を得ることができる。
【００１３】
図８に示す本発明の第３の実施の形態において、前記本発明の第１の実施の形態と主に異なる点は、組み紐状に形成された第１の装飾品体２Ａを前記第２の装飾品体４に着脱可能に接続した点で、このように構成した帯飾り等の装飾品１Ｂにしても本発明の第２の実施の形態と同様の作用効果を得ることができる。
なお、第２の実施の形態の前記第２の接続具７に前記第１の装飾品体２Ａを取付けてもよい。
【００１４】
図９および図１０に示す本発明の第４の実施の形態において、前記本発明の第１の実施の形態と主に異なる点は、前記第１の装飾品体２、接続具３および第２の装飾品体４が固定的に取付けられた点で、このように構成した帯飾り等の装飾品１Ｃは、第１の装飾品体２を取外してキーホルダーやストラップとして使用することはできないが、帯飾りや髪飾りとして使用することができる。
【００１５】
図１１に示す本発明の第５の実施の形態において、前記本発明の第１の実施の形態と主に異なる点は、板状に形成された第２の装飾品体４Ａを用いた点で、このように構成した帯飾り等の装飾品１Ｄにしても本発明の第１の実施の形態と同様の作用効果を得ることができる。
【００１６】
【発明の効果】
以上の説明から明らかなように、本発明にあっては、次に列挙するような効果がある。
【００１７】
（１）根付、ストラップ、キーホルダー等に使用することができるように形成された第１の装飾品体と、この第１の装飾品体に着脱可能に取付けられた、髪に取付けられるように形成されたかんざし形状の第２の装飾品体とからなるので、第１の装飾品体と第２の装飾品体を一体あるいは別々で面白みのある状態で使用することができる。
したがって、使用者の好みやＴＰＯに応じて楽しく選択的に使用することができる。
【００１８】
（２）前記（１）によって、楽しみながら使用することができるので、短期間に飽きて使用されなくなるのを防止して経済的に使用することができる。
【００１９】
（３）前記（１）によって、構造が簡単であるので、容易に遊び心のある飾りに加工することができる。
【００２０】
（４）請求項２および３も前記（１）〜（３）と同様な作用効果が得られる。
【図面の簡単な説明】
【図１】本発明の第１の実施の形態の構成図。
【図２】本発明の第１の実施の形態の帯飾りとしての使用状態の説明図。
【図３】本発明の第１の実施の形態の髪飾りとしての使用状態の説明図。
【図４】本発明の第１の実施の形態の根付としての使用状態の説明図。
【図５】本発明の第１の実施の形態のストラップとしての使用状態の説明図。
【図６】本発明の第１の実施の形態のペンダントとしての使用状態の説明図。
【図７】本発明の第２の実施の形態の構成図。
【図８】本発明の第３の実施の形態の構成図。
【図９】本発明の第４の実施の形態の構成図。
【図１０】本発明の第４の実施の形態の使用状態の説明図。
【図１１】本発明の第５の実施の形態の構成図。
【符号の説明】
１、１Ａ〜１Ｄ：帯飾り等の装飾品、  ２、２Ａ：第１の装飾品体、
３、３Ａ：接続具、                  ４、４Ａ：第２の装飾品体、
５：帯、                            ６：第１の接続具、
７：第２の接続具、                  Ｘ：吊り下げ具。
【図１】
2004284045.tif 000003
【図２】
2004284045.tif 000004
【図３】
2004284045.tif 000005
【図４】
2004284045.tif 000006
【図５】
2004284045.tif 000007
【図６】
2004284045.tif 000008
【図７】
2004284045.tif 000009
【図８】
2004284045.tif 000010
【図９】
2004284045.tif 000011
【図１０】
2004284045.tif 000012
【図１１】
2004284045.tif 000013